(57)【要約】【課題】手間をかけることなく正確に点眼するための補助具を有し、不使用時には該補助具を容器本体から取外すことなく簡単且つコンパクトに容器本体に収納することができる、点眼容器を提供する。【解決手段】点眼容器１０は、その上端に滴下孔１６を有する容器本体１２を含み、容器本体１２には点眼補助具２２が着脱可能に付設される。点眼補助具２２は、点眼の際、滴下孔１６と眼球との間に所定の間隔を隔てて、滴下孔１６が下を向くように、容器本体１２を反転させた姿勢で保持する。点眼補助具２２は、容器本体１２の上側に、その一端側が回動自在に支持される支持アーム２４を含む。支持アーム２４の他端側には、目頭を基点にして目の周縁に当接可能な湾曲部３０が形成される。【選択図】      図９
2004329602.tif 000002
【特許請求の範囲】
【請求項１】
その一方端側に滴下口部を有する容器本体、および
前記容器本体に着脱可能に装着され、点眼の際、前記滴下口部と眼球との間に所定の間隔を隔てて、前記滴下口部が前記容器本体の他方端側を向くように、前記容器本体を反転させた姿勢で点眼可能な状態に保持する点眼補助具を含み、
前記点眼補助具は、その一方端側が前記容器本体の一方側に回動自在に支持される支持アーム、および、前記支持アームの他方端側に形成され、上瞼および下瞼から目頭にかかる目の周縁に当接可能な当接部を含むことを特徴とする、点眼容器。
【請求項２】
前記当接部は、人の上瞼および下瞼から目頭にかかる目の淵のラインに沿った楕円弧曲線状の湾曲部を有することを特徴とする、請求項１に記載の点眼容器。
【請求項３】
前記支持アームは、前記容器本体の一方側を前記容器本体の両側から挟持する挟持部、および、前記挟持部の対向部に配設される軸部を含み、前記容器本体は、前記容器本体の一方側に、前記軸部が嵌合される嵌合穴部を含み、
前記挟持部は、前記容器本体の両側から前記容器本体を挟持する方向に付勢されるとともに、前記軸部が前記嵌合穴部に係合されることにより、前記容器本体に回動自在に支持されることを特徴とする、請求項１または請求項２に記載の点眼容器。
【請求項４】
前記当接部は、前記容器本体の他方側を前記容器本体の両側から挟持する他の挟持部、および、前記他の挟持部の対向部に配設される凸部を含み、前記容器本体は、前記容器本体の他方側に、前記凸部が係止される凹部を含み、
非点眼の際には、前記凸部が前記凹部に係止されることにより、前記当接部が前記容器本体に係止されることを特徴とする、請求項１〜請求項３のいずれかに記載の点眼容器。
【請求項５】
前記嵌合穴部の近傍には、前記容器本体の周胴部から外方に張出すように形成され、前記支持アームの挟持部が係止される係止部を含み、
前記容器本体を反転させたときに、前記支持アームの挟持部が前記係止部に案内されることを特徴とする、請求項３または請求項４に記載の点眼容器。
【請求項６】
前記当接部が前記容器本体に係止されたとき、前記容器本体の高さ方向にみて、前記当接部の底面と前記容器本体の底面との間に所定の間隔を有するように、前記当接部が前記容器本体に係止されることを特徴とする、請求項４または請求項５に記載の点眼容器。
【請求項７】
前記当接部の前記湾曲部は、略３５度楕円の楕円弧を有することを特徴とする、請求項２〜請求項６のいずれかに記載の点眼容器。
【発明の詳細な説明】
【０００１】
【発明の属する技術分野】
本願発明は、点眼容器に関し、特に、たとえば目薬容器に用いられる点眼容器に関する。
【０００２】
【従来の技術】
従来の技術には、目薬容器から目薬を目に注す際に用いられる補助具として、たとえば本体の下部に目のまわりに当てられる当て座を設け、本体に瞳孔真上に位置して目薬容器の目薬注口を嵌通する保持孔を設けた目薬滴注用容器保持具があった（例えば、特許文献１参照。）。
また、従来の技術には、有底筒体の底部中央に目薬容器の目薬液滴下孔を形成した凸部に螺合できる孔を有する点眼用アダプターがあった（例えば、非特許文献１参照。）。この点眼用アダプターを使用して点眼する場合には、目薬容器の目薬液滴下孔を形成した凸部を点眼用アダプターの孔に挿入して、点眼用アダプターを目薬容器に取付けた後、目薬容器本体を指で摘んで滴下される。
【０００３】
【特許文献１】
特開平１０−３３６３４号公報（第３頁、図１、図２）
【特許文献２】
実開平７−５６４４号公報（第５頁、第６頁、図１、図２、図６）
【０００４】
【発明が解決しようとする課題】
しかしながら、特許文献１に記載の技術では、目薬滴注用容器保持具と目薬容器とが別体として設けられるので、点眼する場合、目薬容器の目薬注口を目薬滴注用容器保持具の保持孔に装着する手間がかかり面倒である。しかも、目薬滴注用容器保持具の保持孔は、点眼するときに目薬容器の目薬注口と接触する部分であるにもかかわらず、目薬滴注用容器保持具を使用しないときの保管時に、保持孔に他の物が触れて保持孔に埃等異物が付着する等、衛生面でも不具合が生じる恐れがあった。
【０００５】
また、特許文献２に記載の技術では、目薬容器の目薬液滴下孔を形成した凸部を取付けるための孔が、有底筒体の底部中央に設けているので、点眼用アダプターに目薬容器を装着して点眼する場合、目薬液を瞳の真上に滴下するためには、有底筒体の外周端を瞳の位置する目の淵の上瞼と下瞼に当てる必要がある。この場合、目薬容器が装着された有底筒体を瞳の真上に位置するように、有底筒体の外周端を目の淵の上瞼と下瞼に当てることは、使用者の手加減によることが多く、点眼位置が上下左右にずれて、時として的確な位置に点眼することができない恐れがあった。しかも、特許文献２に記載の技術では、点眼時に、点眼用アダプターの有底筒体の外周端が眼球に当る恐れがあり、安全性にも問題があった。さらに、特許文献２に記載の技術では、目薬容器と点眼用アダプターとが別体として設けられるので、上述した特許文献１に記載の技術と同様に、目薬容器を点眼用アダプターに装着する手間、および、点眼用アダプターを使用しないときの保管時に、有底筒体の底部中央の孔に他の物が触れる恐れがあり、衛生面での問題点を有するものであった。
【０００６】
それゆえに、本願発明の主たる目的は、手間をかけることなく正確に点眼するための補助具を有し、不使用時には該補助具を容器本体から取外すことなく簡単且つコンパクトに容器本体に収納することができる、点眼容器を提供することである。
【０００７】
【課題を解決するための手段】
請求項１にかかる本願発明は、その一方端側に滴下口部を有する容器本体と、容器本体に着脱可能に装着され、点眼の際、滴下口部と眼球との間に所定の間隔を隔てて、滴下口部が容器本体の他方端側を向くように、容器本体を反転させた姿勢で点眼可能な状態に保持する点眼補助具とを含み、点眼補助具は、その一方端側が容器本体の一方側に回動自在に支持される支持アームと、支持アームの他方端側に形成され、上瞼および下瞼から目頭にかかる目の周縁に当接可能な当接部とを含むことを特徴とする、点眼容器である。
請求項２にかかる本願発明は、請求項１にかかる発明に従属される点眼容器であって、当接部が、人の上瞼および下瞼から目頭にかかる目の淵のラインに沿った楕円弧曲線状の湾曲部を有することを特徴とする、点眼容器である。
請求項３にかかる本願発明は、請求項１または請求項２にかかる発明に従属される点眼容器であって、支持アームは、容器本体の一方側を容器本体の両側から挟持する挟持部と、挟持部の対向部に配設される軸部とを含み、容器本体は、容器本体の一方側に、軸部が嵌合される嵌合穴部を含み、挟持部は、容器本体の両側から容器本体を挟持する方向に付勢されるとともに、軸部が嵌合穴部に係合されることにより、容器本体に回動自在に支持されることを特徴とする、点眼容器である。
請求項４にかかる本願発明は、請求項１〜請求項３のいずれかにかかる発明に従属される点眼容器であって、当接部は、容器本体の他方側を容器本体の両側から挟持する他の挟持部と、他の挟持部の対向部に配設される凸部とを含み、容器本体は、容器本体の他方側に、凸部が係止される凹部を含み、非点眼の際には、凸部が凹部に係止されることにより、当接部が容器本体に係止されることを特徴とする、点眼容器である。
請求項５にかかる本願発明は、請求項３または請求項４にかかる発明に従属される点眼容器であって、嵌合穴部の近傍には、容器本体の周胴部から外方に張出すように形成され、支持アームの挟持部が係止される係止部を含み、容器本体を反転させたときに、支持アームの挟持部が係止部に案内されることを特徴とする、点眼容器である。
請求項６にかかる本願発明は、請求項４または請求項５にかかる発明に従属される点眼容器であって、当接部が容器本体に係止されたとき、容器本体の高さ方向にみて、当接部の底面と容器本体の底面との間に所定の間隔を有するように、当接部が容器本体に係止されることを特徴とする、点眼容器である。
請求項７にかかる本願発明は、請求項２〜請求項６のいずれかにかかる発明に従属される点眼容器であって、当接部の湾曲部は、略３５度楕円の楕円弧を有することを特徴とする、点眼容器である。
なお、上述した本願発明では、点眼の際、滴下口部と眼球との間に所定の間隔を隔てて、滴下口部が前記容器の他方端側を向くように、容器本体を反転させた姿勢で点眼可能な状態に容器本体が保持されるが、その場合、容器本体の滴下口部と点眼補助具の当接部の底面との間は、たとえば１５〜２０ｍｍ程度の間隔を保つように設定されることが好ましく、たとえば１５〜１７ｍｍ程度に設定されることがより好ましいものとなる。さらに、発明者等によるサンプリング調査によれば、本願発明にかかる点眼容器の使用時には、当接部の底面が肌に当接され、肌が約２ｍｍ程度凹むことを考慮し、滴下口部と眼球との間隔が１５ｍｍになるように、容器本体の滴下口部と点眼補助具の当接部の底面との間が、１７ｍｍに設定されることが最も好ましい。また、当接部は、敏感な肌に接触するので、刺激や危険を考慮し、支持アームよりも肉厚になるように設計されることが好ましい。
【０００８】
【作用】
請求項１にかかる点眼容器では、点眼補助具が容器本体に着脱可能に装着されているとともに、点眼する際には、滴下口部が目と所定の間隔を隔てて対向配置されるように、容器本体が反転される。容器本体は、点眼補助具の支持アームにより反転した状態で支持され、その状態で、当接部が、使用者の目の上瞼および下瞼から目頭にかかる目の周縁に当接される。したがって、この発明では、人の目の目頭を基点にして、容器本体の滴下口部を目の上に配置することができる。そのため、点眼液を溢さずに的確に点眼することが可能となる。しかも、滴下口部は、使用者の目に直接接触することがないため、衛生的で且つ安全に点眼することができる。さらに、点眼した後には、再度、本体容器を反転させ、元の状態に復帰させることが可能となるので、点眼補助具を容器本体から取外すことなく点眼補助具を容器本体にコンパクトに収納することができる。
請求項２にかかる点眼容器では、当接部が、人の上瞼および下瞼から目頭にかかる目の淵のラインに沿った楕円弧曲線状の湾曲部を有するので、当接部を無理なく人の目に沿わせて、目頭を基点に容器本体の滴下口部を眼球の上方に正確に配置することが可能となる。
請求項３にかかる点眼容器では、容器本体の一方側が、容器本体の両側から、支持アームの挟持部で挟持される。挟持部の軸部が容器本体の嵌合穴部に係合されることにより、支持アームが容器本体に回動自在に支持される。この場合、挟持部は、容器本体の両側から容器本体を挟持する方向に付勢されているので、容器本体は、その両側から支持アームの付勢力により押圧される。そのため、容器本体を反転させる場合でも、支持アームが不用意に容器本体から外れる恐れがない。
請求項４にかかる点眼容器では、当接部の凸部が、容器本体の凹部に係止されることにより、当接部が容器本体に係止される。そのため、非点眼時には、点眼補助具が容器本体に確実に収納される。
請求項５にかかる点眼容器では、容器本体の周胴部から外方に張出す係止部に、支持アームの挟持部が係止されるとともに、容器本体が反転したときに、支持アームの挟持部が係止部に沿って摺動・案内される。そのため、支持アームの回動動作がスムーズに行なわれる。
請求項６にかかる点眼容器では、当接部が容器本体に係止されたとき、容器本体の高さ方向にみて、当接部の底面と容器本体の底面との間に所定の間隔を有するように、当接部が容器本体に係止されるので、非点眼時には、当接部の底面が他の物に触れることがない。そのため、肌と接触する当接部は、衛生的に容器本体に収納される。
請求項７にかかる点眼容器では、当接部の楕円曲線状の湾曲部が略３５度楕円の楕円弧を有するため、当接部の底面が、目頭を基点にして、つまり、人の上瞼および下瞼から目頭にかかる目の淵のラインに沿って、最も好ましい状態で該目の淵に当接される。そのため、点眼位置が最も好ましいものとなる。
【０００９】
本願発明の上述の目的，その他の目的，特徴および利点は、図面を参照して行う以下の発明の実施の形態の詳細な説明から一層明らかとなろう。
【００１０】
【発明の実施の形態】
【実施例】
図１は、本願発明の一実施例を示す正面図であり、図２はその左側面図であり、図３はその右側面図である。また、図４はその平面図であり、図５は図４の線Ａ−Ａにおける要部断面図解図であり、図６はその底面図である。
点眼容器１０は、高さ方向を有する容器本体１２を含む。容器本体の軸方向の一方側には、滴下口部１４が配設される。滴下口部１４は、図４，図９に示すように、たとえば滴下口部１４の上端面の略中央に滴下孔１６を有する。滴下孔１６より、容器本体１２中の目薬液等の点眼液が滴下可能となる。また、滴下口部１４は、図１，図２，図３および図８に示すように、たとえば雌ねじ部１８を有する。滴下口部１４には、キャップ部２０が取付けられる。キャップ部２０は、その内周面に前記雌ねじ部１８に螺合可能な雄ねじ部（図示せず）を備える。この場合、滴下口部１４の雌ねじ部１８とキャップ部２０の雄ねじ部（図示せず）とが螺合されることによって、キャップ部２０が取外し自在に滴下口部１４に取付けられる。
【００１１】
容器本体１２には、たとえば図７（Ａ），図７（Ｂ）に示すように、点眼補助具２２が着脱可能に装着される。点眼補助具２２は、特に、たとえば図９に示すように、点眼の際、滴下口部１４と眼球Ｅとの間に所定の間隔を隔てて、滴下口部１４が容器本体１２の軸方向の他方端側を向くように、容器本体１２を反転させた姿勢で点眼可能な状態に、容器本体１２を保持するものである。
【００１２】
点眼補助具２２は、容器本体１２に回動自在に支持される支持アーム２４を含む。支持アーム２４は、図１，図７（Ｂ）に示すように、たとえばＬ字状の２つのアーム片２６ａ，２６ｂを含み、２つのアーム片２６ａ，２６ｂは、それぞれ、容器本体１２の周胴面に沿う形状を有するものである。２つのアーム片２６ａおよび２６ｂは、それぞれ、その長さ方向の一端側が、容器本体１２の軸方向の一方側に回動自在に支持される。また、アーム片２６ａおよび２６ｂの長さ方向の他方端側には、図７に示すように、アーム片２６ａおよび２６ｂ間を接続する接続片２８が形成される。２つのアーム片２６ａ，２６ｂと接続片２８とは、弾性を有するたとえばプラスチック材料で一体的に形成される。
【００１３】
この場合、支持アーム２４の長さ方向の他端側、つまり、２つのアーム片２６ａ，２６ｂおよび接続片２８の下端側は、図６に示すように、たとえば楕円曲線状の湾曲部３０を有する。湾曲部３０は、特に、たとえば図９に示すように、人の上瞼および下瞼から目頭にかかる目Ｅの周縁に当接可能となる当接部としての機能を備える。本実施例では、湾曲部３０が、上瞼および下瞼から目頭にかかる目Ｅの淵のラインに沿った、たとえば３５度楕円の略１／２楕円弧曲線状に形成される。
【００１４】
さらに、支持アーム２４は、図２，図３，図４および図７等に示すように、容器本体１２の軸方向の一方側を容器本体１２の両側から挟持する挟持部３２ａ，３２ｂを有する。挟持部３２ａおよび挟持部３２ｂは、それぞれ、アーム片２６ａおよびアーム片２６ｂの長さ方向の一端部に形成される。挟持部３２ａおよび挟持部３２ｂは、対向して配置される。２つの挟持部３２ａ，挟持部３２ｂは、たとえば図５に示すように、フランジ部３４ａ，３４ｂをそれぞれ含む。フランジ部３４ａ，３４ｂの対向面には、その略中央に、それぞれ、軸部３６ａ，３６ｂが形成される。
なお、本実施例では、２つのアーム片２６ａ，３６ｂが、その弾性力により、容器本体１２の両側から容器本体１２を挟持する方向に付勢される。そのため、挟持部３２ａ，３２ｂも、同じ方向に付勢される。
【００１５】
一方、容器本体１２の周胴面には、容器本体１２の軸方向の一方側に、上記軸部３６ａ，３６ｂが嵌合される嵌合穴部３８ａ，３８ｂを備える。本実施例では、挟持部３２ａ，３２ｂの軸部３６ａ，３６ｂが嵌合穴部３８ａ，３８ｂにそれぞれ係合されることによって、容器本体１２の軸方向の一方側に支持アーム２４の長さ方向の一端側が回動自在に支持される。
したがって、本実施例では、図９に示すように、点眼の際、容器本体１２の滴下口部１４と眼球との間に所定の間隔を隔てて、滴下口部１４の滴下孔１６が容器本体１２の他方端側を向くように、点眼補助具２２によって、容器本体１２を反転させた姿勢で点眼可能な状態に保持することが可能となる。
【００１６】
この場合、本実施例では、たとえば図７に示すように、３５度楕円の略１／２楕円弧曲線状に形成された湾曲部３０の長軸をＸ１−Ｘ２とし、短軸をＹ１−Ｙ２とし、長軸と短軸とが交差する点を原点Ｏとしたとき、３５度楕円と長軸とが交差する点Ｘ１から原点Ｏまでの中間点の所定の位置に、図９に示すように、目の瞳孔およびその周辺部が配置されるように、点眼補助具２２の支持アーム２４によって容器本体１２が上下反転させた姿勢で保持される。
【００１７】
さらに、本実施例では、容器本体１２の嵌合穴部３８ａ，３８ｂの近傍には、たとえば図５に示すように、容器本体１２の周胴部から外方に張出すようにして、係止部としてのたとえば段差部４０ａ，４０ｂが配設される。係止部４０ａ，４０ｂは、図１，図７に示すように、嵌合穴部３８ａ，３８ｂの下側から斜め上側に、たとえば円弧状に延び設けられる。本実施例では、たとえば図８，図９に示すように、容器本体１２が反転したときに、支持アーム２４の挟持部３２ａ，３２ｂは、係止部４０ａ，４０ｂに摺動・案内されるので、支持アーム２４の回動動作がスムーズに行なわれる。
【００１８】
また、本実施例では、図６，図７に示すように、当接部としてのたとえば湾曲部３０が、容器本体１２の他方側を容器本体１２の両側から挟持する他の挟持部４２ａ，４２ｂを含む。他の挟持部４２ａ，４２ｂの対向面部には、凸部４４ａ，４４ｂが配設される。一方、容器本体１２の周胴面には、容器本体１２の他方側に、上記凸部４４ａ，４４ｂが係止される凹部４６ａ，４６ｂを備える。そして、支持アーム２４の他の挟持部４２ａ，４２ｂに設けられた凸部４４ａ，４４ｂが、容器本体１２の凹部４６ａ，４６ｂに係止されることにより、湾曲部３０が容器本体１２に沿って係止される。そのため、本実施例では、非点眼の際に、支持アーム２４を容器本体１２に沿わすようにしてコンパクトに収納することが可能となる。
【００１９】
さらに、本実施例では、支持アーム２４の当接部としての機能を有する湾曲部３０が、容器本体１２に係止された場合、図１〜図３，図７および図８等に示すように、容器本体１２の高さ方向にみて、湾曲部３０の底面と容器本体１２の底面との間に所定の間隔を有するように、湾曲部３０が容器本体１２に係止されるものである。
【００２０】
次に、本実施例にかかる点眼容器１０の使用方法の一例について、たとえば図７，図８，図９を参照しながら説明する。
先ず、点眼容器１０のキャップ２０を取外し、点眼補助具２２により、支持アーム２４の挟持部３２ａ，３２ｂを支点にして、図８に示すように、支持アーム２４を１８０度回転させる。なお、支持アーム２４を１８０度回転させた後、キャップ２０を取外すようにしてもよい。点眼容器１０の容器本体１２は、キャップ２０を取外しても、滴下口部１４の滴下孔１６より点眼液（本実施例では、目薬液）が注出しない構造を有するものである。
次に、この状態で、つまり、容器本体１２が上下反転された姿勢で支持アーム２４により支持された状態で、特に、図９に示すように、支持アーム２４の当接部となる湾曲部３０の底面が、人の上瞼および下瞼から目頭にかかる目の淵のラインに沿って、目頭を基点に載置される。この場合、点眼補助具２２によって、滴下口部１４の滴下孔１６と眼球との間に所定の間隔を隔てて、滴下口部１４が容器本体１２の下側を向くように、容器本体１２が点眼可能な状態に保持される。そして、この点眼可能な状態を保持した後、容器本体１２を手で摘んで滴下孔１６から点眼液を注出することにより点眼される。
【００２１】
上述した本実施例にかかる点眼容器１０では、人の目の目頭を基点にして、容器本体１２の滴下口部１４の滴下孔１６を目の上に配置することができるので、点眼液を溢さずに的確に点眼することが可能となる。すなわち、当接部としての機能を有する湾曲部３０が、人の上瞼および下瞼から目頭にかかる目の淵のラインに沿った楕円弧曲線状を有するので、湾曲部３０の底面を無理なく人の目に沿わせて、目頭を基点に容器本体１２の滴下孔１６を眼球の上方に正確に配置することができる。また、容器本体１２の滴下口部１４は、使用者の目に直接接触することがないため、衛生的で且つ安全に点眼することができる。さらに、点眼後には、再度、本体容器１２を反転させ、元の状態に復帰させることができるので、点眼補助具２２を容器本体１２から取外すことなく、点眼補助具２２を容器本体１２にコンパクトに収納することができる。
【００２２】
また、本実施例にかかる点眼容器１０では、容器本体１２がその両側から挟持部３２ａ，３２ｂの付勢力により押圧されるため、容器本体１２を反転させるときでも、支持アーム２４が不用意に容器本体１２から外れる恐れがない。しかも、容器本体１２を反転させたときに、支持アーム２４の挟持部３２ａ，３２ｂが係止部４０ａ，４０ｂに沿って摺動・案内されるため、支持アーム２４の回動動作がスムーズに行なわれる。
さらに、非点眼時には、支持アーム２４の凸部４４ａ，４４ｂが、容器本体１２の凹部４６ａ，４６ｂに係止されることにより、支持アーム２４が容器本体１２に係止されるため、点眼補助具２２を容器本体１２に確実に且つコンパクトに収納することができる。この場合、容器本体１２の高さ方向にみて、湾曲部３０の底面と容器本体１２の底面との間に所定の間隔を有するように、支持アーム２４の湾曲部３０が容器本体１２に係止される。したがって、非点眼時には、湾曲部３０の底面が他の物に触れることがないため、肌と接触する湾曲部３０は、衛生的に容器本体１２に収納される。
【００２３】
本実施例では、点眼の際、滴下口部１４の滴下孔１６と眼球との間に所定の間隔を隔てて、滴下口部１４が容器本体１２の下端側を向くように、容器本体１２を反転させた姿勢で点眼可能な状態に容器本体１２が保持されるが、その場合、滴下口部１４の滴下孔１６と点眼補助具２２の湾曲部３０の底面（当接部）との間は、たとえば１５〜２０ｍｍ程度の間隔を保つように設定されることが好ましく、たとえば１５〜１７ｍｍ程度に設定されることがより好ましいものとなる。
【００２４】
なお、発明者等によるサンプリング調査によれば、本実施例にかかる点眼容器１０の使用時には、湾曲部３０（当接部）の底面が肌に当接され、肌が約２ｍｍ程度凹むことを考慮し、滴下口部１４の滴下孔１６と眼球との間隔が１５ｍｍになるように、滴下口部１４の滴下孔１６と点眼補助具２２の湾曲部３０（当接部）の底面との間が、１７ｍｍに設定されることが最も好ましい。さらに、この点眼補助具２２の湾曲部３０（当接部）は、敏感な肌に接触するので、刺激や危険を考慮し、支持アーム２４のアーム片２６ａ，２６ｂの肉厚よりも厚くなるように設計されることが好ましいものである。
【００２５】
【発明の効果】本願発明によれば、手間をかけることなく正確に点眼するための補助具を有し、不使用時には該補助具を容器本体から取外すことなく簡単且つコンパクトに容器本体に収納することができる、点眼容器が得られる。
【図面の簡単な説明】
【図１】本願発明の一実施例を示す正面図である。
【図２】図１に示す点眼容器の左側面図である。
【図３】図１に示す点眼容器の右側面図である。
【図４】図１に示す点眼容器の平面図である。
【図５】図４の線Ａ−Ａにおける要部断面図解図である。
【図６】図１に示す点眼容器の底面図である。
【図７】図７（Ａ）は、図１〜図６に示す点眼容器の斜視図であり、図７（Ｂ）は、その分解斜視図である。
【図８】図１〜図７に示す点眼容器のキャップを取って点眼補助具を回転させた状態の一例を示す正面図である。
【図９】図１〜図８に示す点眼容器の使用状態の一例を示す要部斜視図である。
【符号の説明】
１０  点眼容器
１２  容器本体
１４  滴下口部
１６  滴下孔
１８  雌ねじ部
２０  キャップ部
２２  点眼補助具
２４  支持アーム
２６ａ，２６ｂ  アーム片
２８  接続片
３０  湾曲部
３２ａ，３２ｂ  挟持部
３４ａ，３４ｂ  フランジ部
３６ａ，３６ｂ  軸部
３８ａ，３８ｂ  嵌合穴部
４０ａ，４０ｂ  段差部
４２ａ，４２ｂ  他の挟持部
４４ａ，４４ｂ  凸部
４６ａ，４６ｂ  凹部
Ｅ  目
Ｘ１−Ｘ２  長軸
Ｙ１−Ｙ２  短軸
Ｏ  原点
【図１】
2004329602.tif 000003
【図２】
2004329602.tif 000004
【図３】
2004329602.tif 000005
【図４】
2004329602.tif 000006
【図５】
2004329602.tif 000007
【図６】
2004329602.tif 000008
【図７】
2004329602.tif 000009
【図８】
2004329602.tif 000010
【図９】
2004329602.tif 000011